(57)【特許請求の範囲】
【請求項１】
袋の前側および後ろ側を構成する対向する一対の平面部と、折り襞状に内方に折り込まれた折り線を備えるように形成された２つの側面を有する筒状の袋本体部と、この袋本体部の一方の口部を封止する底部形成シートとを備える自立型の袋体の製造方法であって、
袋の前側および後ろ側を構成する対向する一対の平面部と折り襞状に内方に折り込まれた折り線を備えるように形成された２つの側面とからなり、両端が開口した筒状の袋本体部を形成する袋本体形成工程と、
袋本体部の一方の口部において、対向する前記折り線上の一点を基点とし、各基点から袋本体部の一端までの折り線をそれぞれの折り線を備える側面の外側に折り返し、該袋本体部の一方の口部を押し広げて四角形状の平らな底部開き面を形成する工程と、
該底部開き面に対応する平板な四角形状の底部形成シートを平板状態で重ねる工程と、
該底部開き面の周縁と平板な底部形成シートの周縁とを熱融着することにより袋本体部の一方の口部と底部形成シートとを四方シールする工程と、
を含むことを特徴とする自立袋の製造方法。
【発明の詳細な説明】
【０００１】
【発明の属する技術分野】
本発明は、内容物を収納した製品形態で底部が広がり、包装袋そのものが自立可能になる自立袋を効率よく製造する方法に関する。
【０００２】
【従来の技術】
従来、プラスチックフィルムからなるいわゆるスタンディング袋で代表的なものとしては、ガゼット袋があり、その他、底材を加工する方式もあるが、いずれも自立性を良くするためには、図７に示されるように底部への底材を固着させるのが一般的である。図７に示される従来の袋１００は、袋本体１１０と、折り込まれた底材シート１２０とを備え、袋本体１１０と底材１２０との融着部分１２１は円弧状であり、袋本体１１０を形成する２枚のシート部分の合わせ目１１１と融着部分１２１とが接合する部分は２つの点Ｑ，Ｑ（以下、単に固定点Ｑ，Ｑという）にそれぞれ集結するように形成されている。
【０００３】
【発明が解決しようとする課題】
しかしながら、例えば前記のスタンディング袋において、前記の固定点Ｑ，Ｑを有するものでは、袋の落下時に、固定点Ｑ，Ｑに応力が集中し、この部分から破袋が生じ易いという問題がある。この問題を回避するためには、強靭性の高い薄いフィルムを形成材料に用いれば良いのであるが、そのようなフィルムを用いて袋体を形成すると、フィルムの腰が弱くなりすぎて袋の自立性という本来要求されるべき機能が損なわれてしまうという問題が生じる。
【０００４】
また、一般に、筒状の袋本体と底材とを融着してなる折り畳み可能な自立袋においては、袋本体の折り込み部に対応するように底材が折り込まれた状態で融着されるので、袋本体および底材の折り込み部の交点にピンホールやしわが発生し易く、そこから漏れを生ずる可能性もある。
【０００５】
本発明は、かる事情に基づいてなされたものであり、本発明の目的は、耐衝撃性および自立性に優れ、しかも底材が平板であって折り込み部を有していないことから上記のピンホールやしわの発生がなく、したがってそこから漏れの生ずることのない自立袋およびその自立袋を効率良く得ることのできる製造方法を提供することにある。
【０００６】
【課題を解決するための手段】
前記課題を解決するため、本発明の自立袋の製造方法は、袋の前側および後ろ側を構成する対向する一対の平面部と、折り襞状に内方に折り込まれた折り線を備えるように形成された２つの側面を有する筒状の袋本体部と、この袋本体部の一方の口部を封止する底部形成シートとを備える自立型の袋体の製造方法であって、袋の前側および後ろ側を構成する対向する一対の平面部と折り襞状に内方に折り込まれた折り線を備えるように形成された２つの側面とからなり、両端が開口した筒状の袋本体部を形成する袋本体形成工程と、袋本体部の一方の口部において、対向する前記折り線上の一点を基点とし、各基点から袋本体部の一端までの折り線をそれぞれの折り線を備える側面の外側に折り返し、該袋本体部の一方の口部を押し広げて四角形状の平らな底部開き面を形成する工程と、該底部開き面に対応する平板な四角形状の底部形成シートを平板状態で重ねる工程と、該底部開き面の周縁と平板な底部形成シートの周縁とを熱融着することにより袋本体部の一方の口部と底部形成シートとを四方シールする工程と、を含む構成とした。
【０００８】
また、本発明の自立袋の製造方法では、袋の前側および後ろ側を構成する対向する一対の平面部と、折り襞状に内方に折り込まれた折り線を備えるように形成された２つの側面を有する筒状の袋本体部と、この袋本体部の一方の口部を封止する底部形成シートとを備える自立型の袋体の製造方法であって、袋の前側および後ろ側を構成する対向する一対の平面部と折り襞状に内方に折り込まれた折り線を備えるように形成された２つの側面とからなり、両端が開口した筒状の袋本体部を形成する袋本体形成工程と、袋本体部の一方の口部において、対向する前記折り線上の一点を基点とし、各基点から袋本体部の一端までの折り線をそれぞれの折り線を備える側面の外側に折り返し、該袋本体部の一方の口部を押し広げて四角形状の平らな底部開き面を形成する工程と、該底部開き面に対応する平板な四角形状の底部形成シートを平板状態で重ねる工程と、該底部開き面の周縁と平板な底部形成シートの周縁とを熱融着することにより袋本体部の一方の口部と底部形成シートとを四方シールする工程と、を含むように構成されていることから底部形成シートを袋本体部の口部の折り込み部に合わせて折り込む必要がない。そのため、本発明の製造方法では、袋本体部と底材との折り込み部の交点が存在せず、したがってそのような交点においてピンホールやしわが発生、場合によってはそこから漏れを生ずることがあるという問題がなく、しかも耐衝撃性および自立性に優れた自立袋を効率良く製造可能である。
【０００９】
【発明の実施の形態】
次に本発明の実施の形態について、図面を参照しながら具体的に説明する。
【００１０】
図１に示すように、この実施の形態では、先ず、袋の前側と後ろ側を構成する対向する一対の平面部１１，１１と、袋の内方に折り襞状に折り込まれた折り線２３，２３を備えるように形成された２つの側面２１，２１を有し、両端が開口した筒状の袋本体部１０を用意する。この筒状の袋本体部１０は、通常、同一材質の包材を用いて、貼り合わせで形成してもよいし、また、いわゆる合掌貼り法により形成してもよい。
【００１１】
このようにして形成される袋本体部１０においては、折り線２３，２３により２つの側面２１，２１に折り込み角度θ１が形成されるが、本実施例では、この折り込み角度θ１は１８０度以内に保たれている。しかしながら、場合によっては２つの側面２１，２１を完全に開ききることも可能である。
【００１２】
次いで、図２に示すように、袋本体部１０の一方の口部において、２つの側面２１，２１のそれぞれの折り線２３における任意かつ互いに対向するそれぞれの点Ｐ，Ｐ´を基点とし、この点Ｐ，Ｐ´からそれぞれの折り線２３，２３の一方の端部までの折り線２３，２３をそれぞれ側面２１，２１の外側に折り返し、袋本体部１０の一方の口部を押し拡げることにより図３に示すような四角形状の底部開き面２５を形成する。
【００１３】
一方、図３に示すように、四角形状の平板な底部形成シート３０を用意し、この底部形成シート３０と、上述の底部開き面２５とを重ね合わせる。
【００１４】
このようにして重ね合わせた状態の底部形成シート３０と底部開き面２５との周囲がいわゆる四方シールされるように熱板を押し当て、図４に示すように、袋本体部１０の口部の周縁と底部形成シート３０とを熱融着（ヒートシール）する。なお、図４中、ヒートシール部を斜線で示す。この熱融着は、通常、袋本体部１０のサイドヒートシールにより行われる。
【００１５】
このようにして製造された自立袋を反転し、内部を広げて自立させた状態が図５に示される。
【００１６】
この自立袋に内容物を収納するには、通常、開放状態にある袋の開口部から内容物を充填し、その後、この開口部を熱融着したり、あるいは注出部材を取り付けたりする。また、開口部は必要に応じてそのままにしておいてもよく、熱融着あるいは注出部材の取り付けを省いて図５に示されるままの単なる袋として用いてもよい。さらにまた、両端の開口部に底部開き面２５を形成し、各底部開き面２５に平板な四角形状の底部形成シートを熱融着して四方シールするとともに例えばいずれか一方の平面部１１に注出口を設け、この注出口に適当な注出具を取り付けることにより折り畳み可能なバッグインボックス用袋体とすることも可能である。
【００１７】
なお、図１に示されるような筒状の袋本体部１０は、図６に示すように平面部シート４１，４１と、折り襞状に内方に折り込まれた折り線５３，５３を備えるように形成された２つの側面シート６１，６１とを互いに対向するように貼り合わせて形成してもよい。その場合には、例えば、平面部シート４１と側面シート６１との材質を適宜に変えることもできる。
【００１８】
以上のようにして製造される自立袋は、筒状の袋本体部１０の少なくとも一方の口部に底部開き面２５を形成し、この底部開き面２５に平板な底部形成シート３０を重ね合わせて両者が周縁で四方シールされるように熱融着されているので、底部形成シート３０に折り返し部が存在せず、したがって袋本体部１０と底部形成シート３０との折り返し部の交点が生じないことから、そのような交点にピンホールやしわが発生し、ときにはその部分から漏れを生じることがあるという問題がない。しかも、従来の袋のように応力集中部が生じることがなく、落下等における耐衝撃性に優れ、また自立性にも優れている。
【００１９】
【発明の効果】
以上に詳述したように、本発明の自立袋の製造方法は、筒状の袋本体部の少なくとも一方の口部において、両側面の各折り線における任意の点を基点として各折り線をそれぞれ外側に折り返し、袋本体部の一方の口部を押し広げて四角形状の平らな底部開き面を形成し、この底部開き面に四角形状の平板な底部形成シートを平板状態で重ね、底部開き面と底部形成シートとを重ね合わせたままの状態で両者が四方シールされるように両者の周縁を熱融着するように構成したので、本発明の方法によれば、底部形成シートと袋本体部との折り返し部の交点を生じさせることがなく、したがって、そのような交点に発生するピンホールやしわ、さらにはそれらに起因する漏れの問題がなく、しかも耐衝撃性および自立性に優れた自立袋を効率良く製造することができる。
【図面の簡単な説明】
【図１】  自立袋を構成する袋本体部の一例を示す説明図である。
【図２】  自立袋における一方の口部を示す説明図である。
【図３】  自立袋における袋本体部に形成された底部開き面と底部形成シートとの関係を示す説明図である。
【図４】  自立袋における袋本体部の底部開き面に底材形成シートを熱融着した状態を示す説明図である。
【図５】  自立袋の一例を示す説明図である。
【図６】  自立袋における袋本体部の一例を示す説明図である。
【図７】  従来の自立袋の一例を示す概略斜視図である。
【符号の説明】
１０…袋本体部
１１…平面部
２１…側面
２２…側面部
２３…折り線
２５…底部開き面
３０…底部形成シート
【図１】
0003716206.tif 000002
【図２】
0003716206.tif 000003
【図３】
0003716206.tif 000004
【図４】
0003716206.tif 000005
【図５】
0003716206.tif 000006
【図６】
0003716206.tif 000007
【図７】
0003716206.tif 000008